(57)【要約】【課題】本発明は、ユーザの意図する色合いに色調整するとともに、色材を削減する色調整を行う印刷システム、印刷制御方法、印刷制御プログラム及び記録媒体に関する。【解決手段】印刷システム１は、ホスト装置ＨＳで印刷データに対して色調整指示とトナー削減指示が行われると、該色調整指示に応じて該印刷データに対して色調整を施し、該トナー削減指示に応じてトナーを削減した印刷を行うトナー削減用の印刷データに該印刷データを変換する場合に、該トナー削減指示に応じて変換される該トナー削減用の印刷データが該色調整指示に応じた色調整結果の色合いに与える影響を判断して、該判断結果に応じて印刷データのトナー削減用の印刷データへの変換を制御する。したがって、色調整を実施しつつトナー等の印刷材の消費量を削減することができる。【選択図】          図１
2011059906.tif 000002
【特許請求の範囲】
【請求項１】
ホスト装置が、その搭載するプリンタドライバの生成した印刷データを印刷装置に送信し、該印刷装置が送信されてきた該印刷データに基づいて所定の印刷材を使用して被印刷媒体に画像を印刷する印刷システムにおいて、
前記印刷データに対して所定の色調整指示を行う色調整指示手段と、
前記色調整指示手段での色調整指示に応じて前記印刷データに対して色調整を施す色調整処理手段と、
前記印刷データに基づく印刷における印刷材の削減を指示する印刷材削減指示手段と、
前記印刷材削減指示手段の指示に応じて前記印刷材を削減した印刷を行う印刷材削減印刷データに前記印刷データを変換する印刷データ変換手段と、
前記印刷材削減指示手段の指示に応じて前記印刷データ変換手段で変換される前記印刷材削減印刷データが前記色調整指示手段に応じた前記色調整処理手段による色調整結果の色合いに与える影響を判断する印刷材削減影響判断手段と、
前記印刷材削減影響判断手段の判断結果に応じて前記印刷データ変換手段による前記印刷データの前記印刷材削減印刷データへの変換を制御する印刷材削減制御手段と、
を備えていることを特徴とする印刷システム。
【請求項２】
前記印刷システムは、
前記ホスト装置が、前記色調整指示手段、前記色調整処理手段及び前記印刷材削減指示手段を搭載し、該色調整指示手段の指示に応じて該色調整処理手段で色調整した印刷データと前記印刷材削減指示手段で指示された印刷材削減指示情報を前記印刷装置に送信し、
前記印刷装置が、前記印刷データ変換手段、前記印刷材削減影響判断手段及び前記印刷材削減制御手段を搭載し、該印刷材削減影響判断手段が前記印刷材削減指示情報で指示された前記印刷材削減印刷データへの該印刷データ変換手段による変換が前記色調整された印刷データの色合いに与える影響を判断して、該印刷材削減制御手段が該判断結果に応じて該印刷データ変換手段による該印刷データの該印刷材削減印刷データへの変換を制御することを特徴とする請求項１記載の印刷システム。
【請求項３】
前記印刷システムは、
前記ホスト装置は、前記色調整指示手段及び前記印刷材削減指示手段を搭載し、前記印刷データと該色調整指示手段による色調整指示情報及び該印刷材削減指示手段による印刷材削減指示情報を前記印刷装置に送信し、
前記印刷装置は、前記色調整処理手段、前記印刷データ変換手段、前記印刷材削減影響判断手段及び前記印刷材削減制御手段を搭載し、送信されてきた前記印刷データに対して前記色調整指示情報に基づいて該色調整処理手段で色調整を施し、該印刷材削減影響判断手段が前記印刷材削減指示情報で指示された前記印刷材削減印刷データへの該印刷データ変換手段による変換が該色調整された印刷データの色合いに与える影響を判断して、該印刷材削減制御手段が該判断結果に応じて該印刷データ変換手段による該印刷データの該印刷材削減印刷データへの変換を制御することを特徴とする請求項１記載の印刷システム。
【請求項４】
前記印刷システムは、
前記ホスト装置が、前記色調整指示手段、前記色調整処理手段、前記印刷材削減指示手段、前記印刷材削減影響判断手段、前記印刷データ変換手段及び前記印刷材削減制御手段を搭載し、該色調整指示手段の指示に応じて前記印刷データに対して該色調整処理手段で色調整を施し、該印刷材削減影響判断手段が、該印刷材削減指示手段で指示された前記印刷材削減印刷データへの該印刷データ変換手段による変換が該色調整された印刷データの色合いに与える影響を判断して、該印刷材削減制御手段が該判断結果に応じて該印刷データ変換手段による該印刷データの該印刷材削減印刷データへの変換を制御して、該印刷データを前記印刷装置に送信することを特徴とする請求項１記載の印刷システム。
【請求項５】
前記色調整指示手段は、色弱の人が見やすい色調整を指示可能であり、
前記色調整処理手段は、前記色調整指示手段の指示に応じて色弱の人が見やすい色調整を施すことを特徴とする請求項１から請求項４のいずれかに記載の印刷システム。
【請求項６】
前記色調整指示手段は、理論上はカラーであっても肉眼で見ると白黒の色合いの描画部分を白黒で印刷させる色調整を指示可能であり、
前記色調整処理手段は、前記色調整指示手段の指示に応じて理論上はカラーであっても肉眼で見ると白黒の色合いの描画部分を白黒で印刷させる色調整を施すことを特徴とする請求項１から請求項４のいずれかに記載の印刷システム。
【請求項７】
前記印刷材削減影響判断手段は、前記印刷材削減指示手段による指示に従った前記印刷材の削減量では、前記色調整指示手段による前記色調整に影響を与えると判断すると、該色調整指示手段による該色調整の範囲内で削減可能な該印刷材の削減量を求め、
前記印刷材削減制御手段は、前記印刷材削減影響手段の求めた前記削減可能な削減量に応じて前記印刷データ変換手段による前記印刷データの前記印刷材削減印刷データへの変換を制御することを特徴とする請求項１から請求項６のいずれかに記載の印刷システム。
【請求項８】
ホスト装置が、その搭載するプリンタドライバの生成した印刷データを印刷装置に送信し、該印刷装置が送信されてきた該印刷データに基づいて所定の印刷材を使用して被印刷媒体に画像を印刷する印刷システムにおける印刷制御方法であって、
前記印刷データに対して色調整指示手段で所定の色調整指示が行われると、該色調整指示に応じて該印刷データに対して色調整を施す色調整処理ステップと、
前記印刷データに基づく印刷における印刷材の削減が印刷材削減指示手段で行われると、該印刷材削減指示に応じて該印刷材を削減した印刷を行う印刷材削減印刷データに該印刷データを変換する印刷データ変換処理ステップと、
前記印刷材削減指示手段の指示に応じて前記印刷データ変換処理ステップで変換される前記印刷材削減印刷データが前記色調整指示手段に応じた前記色調整処理ステップでの色調整結果の色合いに与える影響を判断する印刷材削減影響判断処理ステップと、
前記印刷材削減影響判断処理ステップでの判断結果に応じて前記印刷データ変換処理ステップでの前記印刷データの前記印刷材削減印刷データへの変換を制御する印刷材削減制御処理ステップと、
を有していることを特徴とする印刷制御方法。
【請求項９】
ホスト装置が、その搭載するプリンタドライバの生成した印刷データを印刷装置に送信し、該印刷装置が送信されてきた該印刷データに基づいて所定の印刷材を使用して被印刷媒体に画像を印刷する印刷システムに搭載される印刷制御プログラムであって、
コンピュータに、
前記印刷データに対して色調整指示手段で所定の色調整指示が行われると、該色調整指示に応じて該印刷データに対して色調整を施す色調整処理と、
前記印刷データに基づく印刷における印刷材の削減が印刷材削減指示手段で行われると、該印刷材削減指示に応じて該印刷材を削減した印刷を行う印刷材削減印刷データに該印刷データを変換する印刷データ変換処理と、
前記印刷材削減指示手段の指示に応じて前記印刷データ変換処理で変換される前記印刷材削減印刷データが前記色調整指示手段に応じた前記色調整処理での色調整結果の色合いに与える影響を判断する印刷材削減影響判断処理と、
前記印刷材削減影響判断処理での判断結果に応じて前記印刷データ変換処理での前記印刷データの前記印刷材削減印刷データへの変換を制御する印刷材削減制御処理と、
を実行させることを特徴とする印刷制御プログラム。
【請求項１０】
請求項９記載の印刷制御プログラムを記録したことを特徴とするコンピュータが読み取り可能な記録媒体。
【発明の詳細な説明】
【技術分野】
【０００１】
本発明は、印刷システム、印刷制御方法、印刷制御プログラム及び記録媒体に関し、詳細には、ユーザの意図する色合いに色調整するとともに、色材等の印刷材を削減する色調整を行う印刷システム、印刷制御方法、印刷制御プログラム及び記録媒体に関する。
【背景技術】
【０００２】
複写装置、プリンタ装置、ファクシミリ装置、複合装置等の印刷装置は、ユーザが意図する色合いに色調整する機能を有しており、操作部の操作や印刷装置に接続されて印刷命令とともに印刷データを送ってくるコンピュータ等のホスト装置での指示操作に応じて、印刷データに対して指定の色合いに濃度補正して用紙等の被印刷媒体に印刷出力（画像形成出力）する（特許文献１参照）。
【発明の概要】
【発明が解決しようとする課題】
【０００３】
しかしながら、上記従来技術にあっては、濃度補正を行うが、濃度補正後の印刷に必要なインクやトナー等の印刷材の残量については、考慮されておらず、濃度補正等の色調整を行うことで印刷材の消費量が増大し、コストの削減、消費財の削減による環境対策を向上させる上で、改良の必要があった。
【０００４】
そこで、本発明は、色調整を行いつつ印刷材を削減する印刷システム、印刷制御方法、印刷制御プログラム及び記録媒体を提供することを目的としている。
【課題を解決するための手段】
【０００５】
本発明は、上記目的を達成するために、ホスト装置が、生成した印刷データを印刷装置に送信し、該印刷装置が送信されてきた該印刷データに基づいて所定の印刷材を使用して被印刷媒体に画像を印刷する印刷システムにおいて、前記印刷データに対して色調整指示手段で所定の色調整指示が行われると、該色調整指示に応じて該印刷データに対して色調整を施し、前記印刷データに基づく印刷における印刷材の削減が印刷材削減指示手段で行われると、該印刷材削減指示に応じて該印刷材を削減した印刷を行う印刷材削減印刷データに該印刷データを変換する場合に、該印刷材削減指示手段の指示に応じて変換される前記印刷材削減印刷データが該色調整指示手段に応じた色調整結果の色合いに与える影響を判断して、該判断結果に応じて該印刷データの該印刷材削減印刷データへの変換を制御することを特徴としている。
【０００６】
また、本発明は、前記色調整指示手段で、色弱の人が見やすい色調整が指示されると、該指示に応じて色弱の人が見やすい色調整を施すことを特徴としてもよい。
【０００７】
さらに、本発明は、前記色調整指示手段で、理論上はカラーであっても肉眼で見ると白黒の色合いの描画部分を白黒で印刷させる色調整が指示されると、該指示に応じて理論上はカラーであっても肉眼で見ると白黒の色合いの描画部分を白黒で印刷させる色調整を施すことを特徴としてもよい。
【０００８】
また、本発明は、前記印刷材削減指示手段による指示に従った前記印刷材の削減量では、前記色調整指示手段による前記色調整に影響を与えるときには、該色調整指示手段による該色調整の範囲内で削減可能な該印刷材の削減量を求め、前記印刷材削減影響手段の求めた前記削減可能な削減量に応じて前記印刷データの前記印刷材削減印刷データへの変換を制御することを特徴としていてもよい。
【発明の効果】
【０００９】
本発明によれば、色調整を行いつつ印刷材を削減することができる。
【図面の簡単な説明】
【００１０】
【図１】本発明の一実施例を適用した印刷システムのシステム構成図。
【図２】ホスト装置の要部ブロック構成図。
【図３】プリンタの要部ブロック構成図。
【図４】ホスト装置のソフトウェア構成図。
【図５】プリンタのソフトウェアの機能ブロック構成図。
【図６】ＧＰＳ機能部のブロック構成図。
【図７】ＰＪＬ機能部のブロック構成図。
【図８】ＰＤＬ機能部のブロック構成図。
【図９】プリンタドライバによる色指定コマンド生成処理を示すフローチャート。
【図１０】ＣＵＤ／トナーセーブ色変化判断テーブルの一例を示す図。
【図１１】プリンタにおけるトナーセーブ制御処理を示すフローチャート。
【図１２】印刷画像とＰＤＬコマンドの対応関係を示す図。
【図１３】プリンタにおける印刷コマンドに基づくＣＵＤ色調整及びトナーセーブ制御処理を示すフローチャート。
【図１４】ＣＵＤ／トナーセーブ色変化／トナーセーブ可否判断テーブルの一例を示す図。
【図１５】ＰＤＬによるＣＵＤ委と調整及びトナーセーブ制御処理を示すフローチャート。
【図１６】プリンタによるトナーセーブ処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１６は、本発明の印刷システム、印刷制御方法、印刷制御プログラム及び記録媒体の一実施例を示す図であり、図１は、本発明の印刷システム、印刷制御方法、印刷制御プログラム及び記録媒体の一実施例を適用した印刷システム１のシステム構成図である。
【００１３】
図１において、印刷システム１は、ＬＡＮ（Local Area Network）等の有線または無線のネットワークＮＷに、ホスト装置ＨＳとプリンタＰｒが接続されており、これらホスト装置ＨＳとプリンタＰｒは、図１では、１台ずつ示されているが、台数は限定されるものではない。印刷システム１は、ホスト装置ＨＳから印刷データと印刷命令を、ネットワークＮＷを介してプリンタＰｒに送信し、プリンタＰｒが、ホスト装置ＨＳからネットワークＮＷを介して送信されてきた印刷データに基づいて印刷材を用いて画像を用紙に印刷刷出力する。
【００１４】
ホスト装置ＨＳは、通常のハードウェア構成のパーソナルコンピュータ等が用いられていて、図２に示すように、ＣＰＵ（Central Processing Unit ）１０１、メモリ１０２、ストレージ１０３、ホストＩ／Ｆ１０４、キーボード１０５、マウス１０６、カメラ１０７、マイク１０８、スピーカ１０９及びディスプレイ１１０等を備えており、上記各部は、バス１１１によって接続されている。
【００１５】
ストレージ１０３は、ハードウェア等で構成されており、アプリケーションプログラム１２０やＯＳ（Operating System）１３０（図５参照）及び各種データを格納する。アプリケーションプログラム１２０は、文書作成プログラム、画像プログラム、通信プログラム等の各種プログラムを総称している。
【００１６】
ＣＰＵ１０１は、ストレージ１０３内のアプリケーションプログラム１２０に基づいて、ＲＡＭ（Random Access Memory）等で構成されているメモリ１０２をワークメモリとして利用して、各種動作処理を行う。
【００１７】
ホストＩ／Ｆ１０４には、上記ネットワークＮＷが接続され、アプリケーションプログラム１２０に基づくＣＰＵ１０１の制御下で、ネットワークＮＷを介して上記プリンタＰｒやコンピュータ等と通信して、データやコマンド及び電子メール等の送受信を行う。
【００１８】
キーボード１０５は、ユーザによって各種命令や文字入力に使用され、ＣＰＵ１０１がキーボード１０５からの入力操作に応じて処理を行う。
【００１９】
ディスプレイ１１０は、ＬＣＤ（Liquid Crystal Display）等が用いられており、ＣＰＵ１０１の制御下で、ＯＳやアプリケーションプログラム１２０からの指示に応じて各種情報を表示出力する。
【００２０】
マウス１０６は、ディスプレイ１１０上に表示されるアイコン等の操作等を行うことで各種命令等を入力操作し、ＣＰＵ１０１がマウス１０６の操作に応じて各種処理を行う。
【００２１】
カメラ１０７は、ＣＰＵ１０１の制御下で、被写体の撮影を行って映像データを出力し、ＣＰＵ１０１が、アプリケーションプログラム１２０に基づいて映像データをストレージ１０３へ保管したり、また、ホストＩ／Ｆ１０４を介してネットワーク上のコンピュータ等に送信する。
【００２２】
マイク１０８は、ＣＰＵ１０１の制御下で、入力される音声を音声データに変換し、ＣＰＵ１０１が、アプリケーションプログラム１２０に基づいて音声データをストレージ１０３へ保管したり、また、ホストＩ／Ｆ１０４を介してネットワーク上のコンピュータ等に送信する。
【００２３】
上記入力デバイスであるキーボード１０５、マウス１０６及びマイク１０８等は、色調整指示手段及び印刷材削減指示手段として機能する。
【００２４】
スピーカ１０９は、ＣＰＵ１０１の制御下で、音楽等の各主音声を拡声出力する。
【００２５】
プリンタ（印刷装置）Ｐｒは、ＣＰＵ２０１、メモリ２０２、不揮発メモリ２０３、ホストＩ／Ｆ２０４、操作キー２０５、給紙トレイ２０６、プリントエンジン２０７、排紙トレイ２０８、ハードディスク（ＨＤＤ）２０９及びディスプレイ２１０等を備えており、各部はバス２１１によって接続されている。
【００２６】
不揮発メモリ２０３は、ＳＲＡＭ（Static ＲＡＭ ）等で構成されており、プリンタＰｒの電源がオフの場合にも記憶しておくべきデータや制御ファームウェア２２０等が格納されている。
【００２７】
ＣＰＵ２０１は、不揮発メモリ２０３の制御ファームウェア２２０に基づいて、メモリ２０２をワークメモリとして利用してプリンタＰｒの各部を制御することで、プリンタＰｒとしての動作処理（印刷ジョブに対する印刷処理）を実行するとともに、本発明の印刷材の使用の抑制を伴う濃度補正処理を実行する。
【００２８】
ホストＩ／Ｆ２０４には、上記ネットワークＮＷが接続され、制御ファームウェア２２０に基づくＣＰＵ２０１の制御下で、ネットワークＮＷを介して上記ホスト装置ＨＳ等と通信して、データ（印刷データ）やコマンド等の送受信を行う。
【００２９】
操作キー２０５は、ユーザによって印刷における各種パラメータの設定等の各種印刷設定等の入力に使用され、ＣＰＵ２０１が操作キー２０５からの入力操作に応じて印刷処理を行う。操作キー２０５は、色調整指示手段及び印刷材削減指示手段として利用されてもよい。
【００３０】
給紙トレイ２０６は、各種用紙サイズの用紙Ｐがセットされ、印刷に使用する用紙サイズの用紙Ｐを１枚ずつプリントエンジン２０７に送給する。
【００３１】
プリントエンジン２０７は、所定の画像形成方式（印刷方式）、例えば、トナーを印刷材とする電子写真方式またはインクを印刷材とするインクジェット方式等によって給紙トレイ２０６から搬送されてきた用紙Ｐに画像データに基づいて画像を印刷出力して、印刷済の用紙Ｐを排紙トレイ２０８に排出（プリントアウト）する。なお、以下の説明においては、便宜上、プリンタドライバエンジン２０７が印刷材としてトナーを使用する電子写真方式のエンジンであるとして説明する。
【００３２】
ハードディスク２０９は、ＣＰＵ２０１の制御下で、主に受信した画像データを記憶し、また、読み出される。
【００３３】
ディスプレイ２１０は、ＣＰＵ２０１の制御下で、操作キー２０５から入力された内容やユーザに通知する各種情報、例えば、ホストＩ／Ｆ２０４を介してホスト装置ＨＳ等から受信したメッセージやプリンタＰｒ内の状態等の情報を表示出力する。
【００３４】
上記ホスト装置ＨＳは、本発明の印刷制御プログラムが導入されることで、図４に示すようにソフトウェア構成されて、ＯＳ１３０上に、上記アプリケーションプログラム１２０、ホストＩ／Ｆドライバ１２１、プリンタドライバ１２２、コマンド生成プログラム１２３、印刷装置管理プログラム１２４、ＰＤＬ（Page Description Language）生成プログラム１２５、描画処理プログラム１２６及びＰＪＬ（Printer Job Language）生成プログラム１２７等が構築されている。
【００３５】
アプリケーションプログラム１２０は、上述のように、文書作成プログラム、画像プログラム、通信プログラム等の各種プログラムを総称するプログラム（ソフトウェア）であって、ユーザによって、これらのアプリケーションプログラム１２０で作成された文書データや他のコンピュータ等から受信してストレージ１０３に蓄積されている文書データの印刷命令が、アプリケーションプログラム１２０に対して行われると、アプリケーションプログラム１２０が、ＯＳ１３０に印刷命令を出して、文書データを印刷データとしてＯＳ１３０を介してプリンタドライバ１２２に渡す。
【００３６】
プリンタドライバ１２２は、ＯＳ１３０を通じてアプリケーションプログラム１２０から印刷データを受け取ると、ＰＤＬ生成プログラム１２５及びＰＪＬ生成プログラム１２７からなるコマンド生成プログラム１２３を用いて、印刷データをプリンタＰｒが解釈（処理）可能な印刷データであるＰＤＬに変換し、この印刷データ及び該印刷データのＰＪＬを生成する。描画処理プログラム１２６は、アプリケーションプログラム１２０が計算量の多い印刷データをプリンタドライバ１２２に渡した場合に、そのデータの描画処理を行って、計算量の少ない印刷データに変換してＰＤＬ生成プログラム１２５に渡す。コマンド生成プログラム１２３は、ホストＩ／Ｆドライバ１２１、ＯＳ１３０、プリンタドライバ１２２を通じてプリンタＰｒの印刷装置情報を取得し、コマンド生成プログラム１２３に装置情報を付加する。
【００３７】
上記プリンタＰｒは、本発明の印刷制御プログラムを含むファームウェア２００によって、図５に示すように、機能構成されており、ＳＣＳ機能部（システム制御機能部）２２１、ＳＲＭ機能部（リソース制御機能部）２２２、ＮＣＳ機能部（ホスト制御機能部）２２３、ＧＰＳ機能部（プリンタ機能制御機能部）２２４、ＰＪＬ機能部（ジョブ制御情報管理機能部）２２５及びＰＤＬ機能部（描画処理機能部）２２６等を有している。なお、図５において、Ｓ／Ｗは、ソフトウェアを示しており、Ｈ／Ｗは、ハードウェアを示している。
【００３８】
ＳＣＳ機能部２２１は、アプリケーション管理、操作制御、システム画面表示、ＬＥＤ（Light Emitting Diode）の表示、ハードウェア資源管理、割り込みアプリケーション制御等の処理を行い、ＳＲＭ機能部２２２は、ＳＣＳ機能部２２１とともにシステムの制御及びハードウェア資源の管理を行う。例えば、ＳＲＭ機能部２２２は、プリンタＰｒのハードウェア資源を利用する上位層からの獲得要求に従って調停を行い、実行制御する。具体的に、ＳＲＭ機能部２２２は、具体的には、獲得要求されたハードウェア資源が利用可能であるか（他の獲得要求により利用されていないかどうか）を判定し、利用可能であれば、獲得要求されたハードウェア資源が利用可能である旨を上位層に通知する。また、ＳＲＭ機能部２２２は、上位層からの獲得要求に対してハードウェア資源を利用するためのスケジューリングを行い、要求内容（例えば、プリントエンジン２０７による紙搬送と作像動作、メモリ確保、ファイル生成等）を直接実施する。
【００３９】
ＧＰＳ機能部２２４は、プリントエンジン２０７等のハードウェアリソースの制御を行って、印刷動作、状態通知、ジャムリカバリ等を行い、プリント機能を実行する。
【００４０】
ＰＪＬ機能部２２５は、ホスト装置ＨＳから送られてきた印刷データ及び印刷要求からなる印刷ジョブの制御情報の管理を行い、ＰＤＬ機能部（色調整処理手段、印刷データ変換手段、印刷材削減影響判断手段、印刷材削減制御手段）２２６は、印刷データに基づいて描画処理を行う。そして、制御ファームウェア２００は、ＣＰＵ２０１によって、トＩ／Ｆ２０４、プリントエンジン２０７及び給紙トレイ２０６等を制御するのに用いられる。
【００４１】
そして、上記ＧＰＳ機能部２２５は、図６に示すように機能ブロック構成されており、ホストバッファ制御機能部２３１、パネル入出力制御機能部２３２、システム制御機能部２３３、ジョブ制御機能部２３４、ページ制御機能部２３５等を備えている。
【００４２】
ＧＰＳ機能部２２５は、ホストバッファ制御機能部２３１を介してＮＣＳ機能部２２３からデータをシステム制御機能部２３３に取り込み、システム制御機能部２３３が、データをジョブ管理情報と印刷データ本体に分離して、ジョブ制御機能部２３４とページ制御機能部２３５に渡す。
【００４３】
ジョブ制御機能部２３４は、ＰＪＬ機能部２２５にジョブ管理情報を渡し、ＳＣＳ機能部２２１及びＳＲＭ機能部２２２から印刷時に使用するシステムリソース（トレイ、用紙、トナー等）の状態情報を取得して、印刷設定を行う。ページ制御機能部２３５は、ＰＤＬ機能部２２６に印刷データ本体を渡して描画処理を行わせて、描画ページイメージをＳＲＭ機能部２２２に渡し、ＳＲＭ機能部２２２からプリントエンジン２０７にページイメージを渡して印刷を実施させる。システム制御機能部２３３は、ＰＪＬ機能部２２５に渡ったジョブ管理情報から認証が必要な印刷であると判断できた場合、認証機能部２２７に対して認証実施の可否を問い合わせ、認証可能であれば印刷を行わない状態でＳＲＭ機能部２２２に印刷データを渡してハードディスク２０９に蓄積する。システム制御機能部２３３は、認証機の部２２７での認証が不可能であれば、ネットワークＮＷ上の認証可能なプリンタを認証機能部２２７で検索し、該当するプリンタに印刷データの転送を行う。
【００４４】
上記ＰＪＬ機能部２２５は、図７に示すようにブロック構成されており、データ入出力制御機能部２４１、言語解析機能部２４２、ジョブ制御命令発行機能部２４３及びページ制御命令発行機能部２４４等を備えている。
【００４５】
データ入出力制御機能部２４１は、ＧＰＳ機能部２２４からジョブ制御情報を受け取り、言語解析機能部２４２を用いて制御パラメータを取り出す。データ入出力機能部２４１は、制御パラメータがジョブ制御の場合にはジョブ制御命令発行機能部２４３にジョブ制御命令を発行させ、ページ制御の場合はページ制御命令発行機能部２４４にページ生後命令を発行させて、ＧＰＳ機能部２２４に対して印刷設定パラメータとして渡す。
【００４６】
上記ＰＤＬ機能部２２６は、図８に示すようにブロック構成されており、データ入出力制御機能部２５１、言語解析機能部２５２、描画処理実行機能部２５３及びページメモリ書き込み機能部２５４等を備えている。ＰＤＬ機能部２２６は、データ入出力機能部２５１が、ＧＰＳ機能部２２４から印刷データを受け取ると、言語解析機能部２５２を用いて描画コマンドを取り出し、描画処理実行機能部２５３において描画処理（演算処理）を実施させた上で、ページメモリ書き込み機能部２５４によりビットマップデータとしてページメモリに書き込む。データ入出力制御機能部２５１は、ページメモリに書き込んだ内容をＧＰＳ機能部２２４に渡す。
【００４７】
すなわち、印刷システム１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の印刷制御方法を実行する印刷制御プログラムを、ホスト装置ＨＳ及びプリンタＰｒに導入することで、後述する色調整を行いつつ該色調整の色合いに影響を与えない範囲でトナーを削減する印刷制御方法を実行する印刷システムとして構築されている。この印刷制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４８】
次に、本実施例の作用を説明する。本実施例の印刷システム１は、濃度調整と印刷材の削減を適切に実施する。なお、以下の説明では、電子写真方式で画像形成するものとして、印刷材がトナーであるとして説明する。また、以下の説明では、濃度調整として、カラーユニバーサルデザイン（以下、適宜、ＣＵＤという。）を行う場合について説明するが、濃度調整としては、カラーユニバーサルデザインに限るものではない。
【００４９】
まず、ホスト装置ＨＳでカラーユニバーサルデザインの色調整処理を行い、ホスト装置ＨＳ側でＣＵＤを実施しなかった色についてのみ、プリンタＰｒでトナーセーブ処理（印刷材削減処理）を行う場合について説明する。
【００５０】
ホスト装置ＨＳは、プリンタＰｒでの画像形成における色調整としてカラーユニバーサルデザインを実行させるために、図９に示すように色指定コマンドを生成してプリンタＰｒに送信する。すなわち、ホスト装置ＨＳにおいては、アプリケーションプログラム１２０が、印刷対象の画像データをプリンタドライバ１２２に渡すとともに、ＣＵＤ色調整対象の色情報である色情報Ｃ１（Ｒ１、Ｇ１、Ｂ１）を渡し（ステップＳ１０１）、プリンタドライバ１２２が、ＣＵＤ色調整処理を実施し、色情報Ｃ１（Ｒ１、Ｇ１、Ｂ１）を色情報Ｃ２（Ｒ２、Ｇ２、Ｂ２）に変換する（ステップＳ１０２）。
【００５１】
プリンタドライバ１２２は、トナーセーブが指定されているかチェックし（ステップＳ１０３）、トナーセーブが指定されていると、色情報Ｃ１の（Ｒ１、Ｇ１、Ｂ１）値に対応するＣＵＤフラグ（Flag）値を、予めストレージ１０３等に保管されているＣＵＤ／トナーセーブ色変化判断テーブルＴｂ１から取得する（ステップＳ１０４）。このＣＵＤ／トナーセーブ色変化判断テーブルＴｂ１は、ＣＵＤとトナーセーブの双方を実施すると、色変化が発生する色情報を判断するためのテーブルであり、ＣＵＤフラグ（Flag）値が「１」であると、ＣＵＤ色調整処理とトナーセーブ処理を実施すると色変化が発生することを示している。
【００５２】
プリンタドライバ１２２は、ＣＵＤフラグ（Flag）値が「１」であるか否か、すなわち、ＣＵＤ色調整処理とトナーセーブ処理を実施すると色変化するか否か判断し（ステップＳ１０５）、ＣＵＤフラグが「１」のときには、色指定コマンドパラメータに「トナーセーブ抑制」を追加して、トナーセーブを実施させないようにして（ステップＳ１０６）、色情報Ｃ２の色指定コマンドを生成する（ステップＳ１０７）。
【００５３】
ステップＳ１０５で、ＣＵＤフラグ（Flag）が「０」のときには、色変化が発生しないため、プリンタドライバ１２２は、「トナーセーブ抑制」を追加することなく、色情報Ｃ２の色指定コマンドを生成する（ステップＳ１０７）。
【００５４】
また、ステップＳ１０３で、トナーセーブが指定されていないときには、ＣＵＤによる色変化をチェックする必要がないため、そのまま色情報Ｃ２の色指定コマンドを生成する（ステップＳ１０７）。
【００５５】
プリンタドライバ１２２は、上記同様の色指定コマンド生成処理をアプリケーションプログラム１２０から渡された画像データに付いて全て処理し、処理後の印刷データと印刷コマンドをネットワークＮＷを介してプリンタＰｒに送信する。
【００５６】
そして、プリンタＰｒは、図１１に示すように、ホスト装置ＨＳから印刷データが送られてくると、ＰＤＬ機能部２２６がトナーセーブ制御を伴う描画色決定処理を実施する。ＰＤＬ機能部２２６が印刷データの色指定コマンドを受け取り、コマンドパラメータを取得する（ステップＳ２０１）。ＰＤＬ機能部２２６は、コマンドパラメータからＣＵＤ色調整の行われている色指定であるＣ２色情報以外の色情報であるＣ１色情報（Ｒ１、Ｇ１、Ｂ１）を取り出し（ステップＳ２０２）、コマンドパラメータから「トナーセーブ抑制」の有無情報を取り出す（ステップＳ２０３）。
【００５７】
ＰＤＬ機能部２２６は、色指定コマンドパラメータに、「トナーセーブ抑制」が追加されているかチェックし（ステップＳ２０４）、「トナーセーブ抑制」が追加されていないときには、色情報Ｃ１にトナーセーブ効果を発生させる画像処理、例えば、β変換処理を実施する（ステップＳ２０５）。ステップＳ２０４で、「トナーセーブ抑制」が追加されているときには、色変化が発生すると判断して、トナーセーブ処理を実施することなく、描画色決定処理を終了する。
【００５８】
そして、プリンタＰｒは、ホスト装置ＨＳで色指定コマンドで指定された色に基づいて画像形成するとともに、トナーセーブを行っても色変化しない色部分については、トナーセーブを施して、画像形成する。
【００５９】
すなわち、図１２（ａ）に示すような印刷画像Ｇの黄色の画像領域Ｇ１、青色の画像領域Ｇ２及び赤色の画像領域Ｇ３に対して、それぞれＰＤＬコマンドが、図１２（ｂ）に示すように、ユーザ設定によってトナーセーブが指定されていて、画像領域Ｇ１と画像領域Ｇ２については、同じ黒の色指定が行われ、画像領域Ｇ３についてのみ、元の赤色の色指定が行われている。なお、図１２では、ＰＤＬコマンドの色指定部分に四角を点々のハッチングを行うことで、赤色が色指定されていることを示している。
【００６０】
このようにすると、色変化の発生しない色については、トナーセーブ（印刷材）の削減処理を行いつつ、カラーユニバーサルデザイン等の色調整を適切に行うことができる。
【００６１】
なお、上記説明では、ホスト装置ＨＳのプリンタドライバ１２２でＣＵＤ色調整を行い、プリンタＰｒのＰＤＬ機能部２２６でトナーセーブ制御処理を行っているが、ＣＵＤ色調整処理とトナーセーブ制御処理の実行処理は、上記ホスト装置ＨＳとプリンタＰｒとの分担処理に限るものではなく、例えば、図１３に示すように、ＣＵＤ色調整処理及びトナーセーブ制御処理の双方をプリンタＰｒ側で行ってもよい。なお、この場合、図１０に示したＣＵＤ／トナーセーブ色変化判断テーブルＴｂ１をプリンタＰｒがハードディスク２０９等に格納している。
【００６２】
まず、ホスト装置ＨＳでの色調整指示とトナーセーブ指示に応じてホスト装置ＨＳから色調整指示情報とトナーセーブ指示情報を印刷データとともにプリンタＰｒに送信し、プリンタＰｒのＰＤＬ機能部２２６で、ＣＵＤ色調整処理を実施し、ＣＵＤ色調整を行わなかった色のみについて、トナーセーブ処理を実行する場合について、図１３に基づいて説明する。
【００６３】
この場合、プリンタＰｒは、図１３に示すように、ホスト装置ＨＳから印刷データが送られてくると、ＰＤＬ機能部２２６がトナーセーブ制御を伴う描画色決定処理を実施する。すなわち、ＰＤＬ機能部２２６は、印刷データの色指定コマンドを受け取り、コマンドパラメータを取得する（ステップＳ３０１）。ＰＤＬ機能部２２６は、コマンドパラメータから元々の色情報であるＣ１色情報（Ｒ１、Ｇ１、Ｂ１）を取り出し（ステップＳ３０２）、コマンドパラメータから「トナーセーブ指示」の有無情報を取り出す（ステップＳ３０３）。
【００６４】
ＰＤＬ機能部２２６は、ＣＵＤ色調整処理を実施し、色情報Ｃ１（Ｒ１、Ｇ１、Ｂ１）を色情報Ｃ２（Ｒ２、Ｇ２、Ｂ２）に変換し（ステップＳ３０４）、色指定コマンドパラメータに、「トナーセーブ指定」が追加されているかチェックする（ステップＳ３０５）。
【００６５】
ステップＳ３０５で、「トナーセーブ指定」が追加されていないときには、ＰＤＬ機能部２２６は、トナーセーブ処理を行うことなく処理を終了する。
【００６６】
ステップＳ３０５で、「トナーセーブ指定」が追加されているときには、ＰＤＬ機能部２２６は、色情報Ｃ１の（Ｒ１、Ｇ１、Ｂ１）値に対応するＣＵＤフラグ（Flag）値を、予めハードディスク２０９等に保管されているＣＵＤ／トナーセーブ色変化判断テーブルＴｂ１から取得し（ステップＳ３０６）、ＣＵＤフラグ（Flag）値が「０」であるか否か、すなわち、ＣＵＤ色調整処理とトナーセーブ処理を実施すると色変化しないか否か判断する（ステップＳ３０７）。
【００６７】
ステップＳ３０７で、ＣＵＤフラグが「１」のときには、ＰＤＬ機能部２２６は、トナーセーブ効果を発揮させる画像処理を行うことなく処理を終了し、ステップＳ３０７で、ＣＵＤフラグが「１」のときには、色情報Ｃ１にトナーセーブ効果を発生させる画像処理、例えば、γ変換処理を実施する（ステップＳ３０８）。
【００６８】
そして、プリンタＰｒは、ホスト装置ＨＳで色指定コマンドによって指定された色に基づいて印刷出力するとともに、トナーセーブを行っても色変化しない色部分については、トナーセーブを施した画像処理後のデータに基づいて印刷出力する。
【００６９】
次に、プリンタＰｒのＰＤＬ機能部２２６でＣＵＤ色調整処理を実施し、ＣＵＤ色調整を実施した色においてトナーセーブが可能な削減率の算出を行って、算出結果に応じた削減率でトナーセーブ処理を行う場合について、図１４〜図１６に基づいて説明する。
【００７０】
この場合、プリンタＰｒは、ハードディスク２０９等に図１４に示すようなＣＵＤ／トナーセーブ色変化／トナーセーブ可否判断テーブルＴｂ２が予め格納されている。このＣＵＤ／トナーセーブ色変化／トナーセーブ可否判断テーブルＴｂ２は、図１０に示したＣＵＤ／トナーセーブ色変化判断テーブルＴｂ１に、トナーセーブ可否判断情報が追加されたテーブルであり、ＣＵＤ後に色変化が発生するかのＣＵＤフラグ（Flag）とＣＵＤ後にトナーセーブが可能であるかのＴＳフラグ（Flag）がＲＧＢの色毎に登録されたテーブルとなっている。図１４において、ＣＵＤフラグ（Flag）値が「１」であると、ＣＵＤ色調整処理を行うと、色変化が発生し、ＴＳフラグ（Flag）が「１」であると、トナーセーブが可能であることを示している。
【００７１】
そして、プリンタＰｒは、ホスト装置ＨＳから印刷データが送られてくると、ＰＤＬ機能部２２６が、図１５に示すように描画処理決定処理を実施する。すなわち、ＰＤＬ機能部２２６は、印刷データの色指定コマンドを受け取り、コマンドパラメータを取得する（ステップＳ４０１）。ＰＤＬ機能部２２６は、コマンドパラメータから元々の色情報であるＣ１色情報（Ｒ１、Ｇ１、Ｂ１）を取り出し（ステップＳ４０２）、コマンドパラメータからホスト装置ＨＳで行われた「トナーセーブ指示」の有無情報を取り出す（ステップＳ４０３）。
【００７２】
ＰＤＬ機能部２２６は、ＣＵＤ色調整処理を実施し、色情報Ｃ１（Ｒ１、Ｇ１、Ｂ１）を色情報Ｃ２（Ｒ２、Ｇ２、Ｂ２）に変換し（ステップＳ４０４）、色指定コマンドパラメータに、「トナーセーブ指定」が追加されているかチェックする（ステップＳ４０５）。
【００７３】
ステップＳ４０５で、「トナーセーブ指定」が追加されていないときには、ＰＤＬ機能部２２６は、トナーセーブ処理を行うことなく処理を終了する。
【００７４】
ステップＳ４０５で、「トナーセーブ指定」が追加されているときには、ＰＤＬ機能部２２６は、図１６に示す削減率を算出してトナー削減するトナーセーブ処理を実行して、処理を終了する（ステップＳ４０６）。
【００７５】
図１６において、ＰＤＬ機能部２２６は、色情報Ｃ１の（Ｒ１、Ｇ１、Ｂ１）値に対応するＣＵＤフラグ（Flag）値を、予めハードディスク２０９等に保管されているＣＵＤ／トナーセーブ色変化／トナーセーブ可否判断テーブルＴｂ２から取得し（ステップＳ５０１）、トナーセーブのトナー削減率rateとして、［４９％」を設定して（ステップＳ５０２）、ＣＵＤフラグ（Flag）値が「０」であるか否か、すなわち、ＣＵＤ色調整処理とトナーセーブ処理を実施すると色変化しないか否か判断する（ステップＳ５０３）。このトナー削減率は、後述するように、色情報に乗算されることでトナー削減した色情報の生成に用いられるため、数値が小さいほどトナー削減量が大きいことを意味している。
【００７６】
ステップＳ５０３で、ＣＵＤフラグが「０」のときには、ＰＤＬ機能部２２６は、トナー削減率rateを「１」だけインクリメントして（ステップＳ５０４）、色情報Ｃ２の（Ｒ２、Ｇ２、Ｂ２）値にそれぞれインクリメントしたトナー削減率rateを乗算してトナー削減用印刷データとして、色情報Ｃ３（Ｒ３、Ｇ３、Ｂ３）を算出し（ステップＳ５０５）、色情報Ｃ３（Ｒ３、Ｇ３、Ｂ３）にトナーセーブ効果を発生させる画像処理、例えば、γ変換処理を実施して、トナーセーブ処理を終了する（ステップＳ５０６）。
【００７７】
ステップＳ５０３で、ＣＵＤフラグ（Flag）値が「１」のときには、ＰＤＬ機能部２２６は、ＴＳフラグ（Flag）が「０」の間は、ステップＳ５０７からステップＳ５１１のループ処理を実行する。すなわち、ＰＤＬ機能部２２６は、トナー削減率rateを「１」だけインクリメントし（ステップＳ５０８）、色情報Ｃ２の（Ｒ２、Ｇ２、Ｂ２）値にそれぞれインクリメントしたトナー削減率rateを乗算して色情報Ｃ３（Ｒ３、Ｇ３、Ｂ３）を算出する（ステップＳ５０９）。次に、ＰＤＬ機能部２２６は、算出した色情報Ｃ３（Ｒ３、Ｇ３、Ｂ３）に対応するＴＳフラグ（Flag）をＣＵＤ／トナーセーブ色変化／トナーセーブ可否判断テーブルＴｂ２から取得して、ＴＳフラグが「０」であれば、ステップＳ５０７に戻って、上記同様に順次トナー削減率rateを「１」ずつインクリメントする処理を繰り返し行って、インクリメントしたトナー削減率rateを乗算して求めた色情報Ｃ３（Ｒ３、Ｇ３、Ｂ３）に対応するＴＳフラグ（Flag）が「１」になると、該色情報Ｃ３（Ｒ３、Ｇ３、Ｂ３）にトナーセーブ効果を発生させる画像処理、例えば、γ変換処理を実施して、トナーセーブ処理を終了する（ステップＳ５０６）。
【００７８】
このように、本実施例の印刷システム１は、ホスト装置ＨＳが、生成した印刷データをプリンタＰｒに送信し、プリンタＰｒが送信されてきた該印刷データに基づいてトナー（所定の印刷材）を使用して用紙に画像を印刷する印刷システム１において、印刷データに対してホスト装置ＨＳで、所定の色調整指示が行われると、該色調整指示に応じて該印刷データに対して色調整を施し、印刷データに基づく印刷におけるトナーの削減がホスト装置ＨＳで行われると、該トナー削減指示（印刷材削減指示）に応じてトナーを削減した印刷を行うトナー削減用印刷データ（印刷材削減印刷データ）に該印刷データを変換する場合に、該トナー削減指示に応じて変換される該トナー削減用印刷データが該色調整指示に応じた色調整結果の色合いに与える影響を判断して、該判断結果に応じて印刷データのトナー削減用印刷データへの変換を制御している。
【００７９】
したがって、濃度補正等の色調整を実施しつつトナー等の印刷材の消費量を削減することができる。
【００８０】
特に、色調整指示として、ＣＵＤ（カラーユニバーサルデザイン）を考慮した色調整、すなわち、色弱の人が見やすい色調整が指示されると、色弱の人にもみやすい色調整を行いつつ、トナー等の印刷材の削減を行うことができる。
【００８１】
また、色調整指示として、理論上はカラーであっても肉眼で見ると白黒の色合いの描画部分を白黒で印刷させる色調整が指示されると、理論上はカラーであっても肉眼で見ると白黒の色合いの描画部分を白黒で印刷させる色調整を行いつつ、トナー等の印刷材の削減を行うことができる。
【００８２】
さらに、本実施例の印刷システム１は、指示に従った印刷材の削減量では、指示された色調整に影響を与えると判断すると、指示された該該色調整の範囲内で削減可能な該印刷材の削減量を求め、求めた該削減可能な削減量に応じて印刷材の削減を行っている。
【００８３】
したがって、要求される色調整の範囲内で、可能な限り印刷材を削減することができ、印刷材をより一層削減することができる。
【００８４】
また、本実施例の印刷システム１は、ホスト装置ＨＳが、キーボード１０５やマウス等を色調整指示及びトナー削減指示を行う色調整指示手段及びトナー削減指示手段として搭載するとともに、描画処理プログラム１２６、ＰＤＬ生成プログラム１２５、コマンド生成プログラム１２３及びプリンタドライバ１２２を色調整処理手段として搭載し、色調整指示に応じて色調整した印刷データとトナー削減指示されたトナー削減指示情報をプリンタＰｒに送信し、プリンタＰｒが、ＰＤＬ機能部２２６、ＧＰＳ機能部２２４等を搭載して、トナー削減指示情報で指示されたトナー削減用印刷データへの印刷データの変換が色調整された印刷データの色合いに与える影響を判断して、該判断結果に応じて該印刷データの該トナー削減用印刷データへの変換を制御している。
【００８５】
したがって、ホスト装置ＨＳでの色調整指示に応じてホスト装置ＨＳで生成した色調整後の印刷データとトナー削減指示をプリンタＰｒに送信して、プリンタＰｒで色調整された印刷データの色合いに影響しない範囲で、トナー削減を行って、印刷することができる。
【００８６】
さらに、本実施例の印刷システム１は、ホスト装置ＨＳが、キーボード１０５やマウス等を色調整指示及びトナー削減指示を行う色調整指示手段及び印刷材削減指示手段として搭載するとともに、描画処理プログラム１２６、ＰＤＬ生成プログラム１２５、ＰＪＬ生成プログラム１２７、コマンド生成プログラム１２３、印刷装置管理プログラム１２４及びプリンタドライバ１２２等を搭載して、色調整指示された色調整を施した印刷データを生成するとともに、トナー削減指示されたトナー削減用印刷データへの印刷データの変換が色調整された印刷データの色合いに与える影響を判断して、該判断結果に応じて該印刷データの該トナー削減用印刷データへの変換を制御して、生成した印刷データをプリンタＰｒに送信し、プリンタＰｒが送信されてきた印刷データに基づいて印刷する。
【００８７】
したがって、ホスト装置ＨＳでの色調整指示及びトナー削減指示に応じて色調整を行うとともに、色調整した印刷データを色合いに影響しない範囲で、トナー削減を行った印刷データを生成してプリンタＰｒに送信し、プリンタＰｒで該印刷データに基づいて印刷することができる。
【００８８】
また、本実施例の印刷システム１は、ホスト装置ＨＳが、キーボード１０５やマウス等を色調整指示及びトナー削減指示を行う色調整指示手段及び印刷材削減指示手段として搭載して、色調整指示された色調整指示情報とトナー削減指示されたトナー削減指示情報を印刷データとともにプリンタＰｒに送信し、プリンタＰｒが、ＰＤＬ機能部２２６、ＧＰＳ機能部２２４等を搭載して、色調整指示情報で指示された色調整を印刷データに施すとともに、トナー削減指示情報で指示されたトナー削減用印刷データへの印刷データの変換が色調整された印刷データの色合いに与える影響を判断して、該判断結果に応じて該印刷データの該トナー削減用印刷データへの変換を制御している。
【００８９】
したがって、ホスト装置ＨＳでの色調整指示及びトナー削減指示があると、色調整指示情報とトナー削減指示情報を印刷データとともにプリンタＰｒに送信し、プリンタＰｒが、該色調整指示及びトナー削減指示に応じて色調整を行うとともに、色調整した印刷データを色合いに影響しない範囲で、トナー削減を行った印刷データを生成して印刷することができる。
【００９０】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００９１】
本発明は、コンピュータとプリンタ等がネットワークで接続されているような印刷システム、印刷制御方法、印刷制御プログラム及び記録媒体に利用することができる。
【符号の説明】
【００９２】
１  印刷システム
ＨＳ  ホスト装置
１０１  ＣＰＵ
１０２  メモリ
１０３  ストレージ
１０４  ホストＩ／Ｆ
１０５  キーボード
１０６  マウス
１０７  カメラ
１０８  マイク
１０９  スピーカ
１１０  ディスプレイ
１１１  バス
１２０  アプリケーションプログラム
１２１  ホストＩ／Ｆドライバ
１２２  プリンタドライバ
１２３  コマンド生成プログラム
１２４  印刷装置管理プログラム
１２５  ＰＤＬ生成プログラム
１２６  描画処理プログラム
１２７  ＰＪＬ生成プログラム
１３０  ＯＳ
Ｐｒ  プリンタ
２０１  ＣＰＵ
２０２  メモリ
２０３  不揮発メモリ
２０４  ホストＩ／Ｆ
２０５  操作キー
２０６  給紙トレイ
２０７  プリントエンジン
２０８  排紙トレイ
２０９  ハードディスク（ＨＤＤ）
２１０  ディスプレイ
２１１  バス
２２０  制御ファームウェア
２２１  ＳＣＳ機能部（システム制御機能部）
２２２  ＳＲＭ機能部（リソース制御機能部）
２２３  ＮＣＳ機能部（ホスト制御機能部）
２２４  ＧＰＳ機能部（プリンタ機能制御機能部）
２２５  ＰＪＬ機能部（ジョブ制御情報管理機能部）
２２６  ＰＤＬ機能部（描画処理機能部）
２３１  ホストバッファ制御機能部
２３２  パネル入出力制御機能部
２３３  システム制御機能部
２３４  ジョブ制御機能部
２３５  ページ制御機能部
２４１  データ入出力制御機能部
２４２  言語解析機能部
２４３  ジョブ制御命令発行機能部
２４４  ページ制御命令発行機能部
２５１  データ入出力制御機能部
２５２  言語解析機能部
２５３  描画処理実行機能部
２５４  ページメモリ書き込み機能部
ＮＷ  ネットワーク
Ｔｂ１  ＣＵＤ／トナーセーブ色変化判断テーブル
Ｔｂ２  ＣＵＤ／トナーセーブ色変化／トナーセーブ可否判断テーブル
【先行技術文献】
【特許文献】
【００９３】
【特許文献１】特開２００６−１１６８００号公報
【図１】
2011059906.tif 000003
【図２】
2011059906.tif 000004
【図３】
2011059906.tif 000005
【図４】
2011059906.tif 000006
【図５】
2011059906.tif 000007
【図６】
2011059906.tif 000008
【図７】
2011059906.tif 000009
【図８】
2011059906.tif 000010
【図９】
2011059906.tif 000011
【図１０】
2011059906.tif 000012
【図１１】
2011059906.tif 000013
【図１２】
2011059906.tif 000014
【図１３】
2011059906.tif 000015
【図１４】
2011059906.tif 000016
【図１５】
2011059906.tif 000017
【図１６】
2011059906.tif 000018